(57)【要約】【課題】広告チラシ等に印刷された商品のＷｅｂページを自分のパソコンで閲覧ができるようにすること。【解決手段】商品ＷｅｂページのＵＲＬ情報を格納するデータベースを有するサーバーを設置し、２次元コード（ＱＲコード）に商品コードを含むサーバーのＵＲＬを記憶させておき、携帯電話でＱＲコードを読み取り、読み取ったＵＲＬを用いてサーバーにアクセスすると、サーバーのＵＲＬに含まれる商品コードから対応する商品のＷｅｂページのＵＲＬ情報が検索され、ユーザー専用のブックマークページに書き込まれる。そのユーザー専用ブックマークページのＵＲＬ情報を、携帯電話の機体番号と関連付けられて予め登録されているＰＣメールアドレスにメール送信し、送信後にＰＣメールアドレスを消去するとともに、ユーザー専用ブックマークページのＵＲＬ情報を書き込む。【選択図】図５
2008140253.tif 000002
【特許請求の範囲】
【請求項１】
広告媒体に印刷された商品の識別情報が記憶された２次元コードと、該２次元コードの読み取り手段が内蔵されたユーザーの携帯通信端末と、データベースを有するサーバーとが通信ネットワークを介して相互に通信可能に接続され、
前記ユーザーが前記携帯通信端末で読み取った前記商品の識別情報に基づいて、前記商品の広告を掲載した商品ＷｅｂページのＵＲＬ情報を抽出し、前記ユーザーに提供するＵＲＬ情報提供システムであって、
前記商品の識別情報は、少なくとも前記商品を識別する商品コードを一部に含む前記サーバーのＵＲＬ情報であり、
前記データベースには、前記携帯通信端末固有の機体番号と前記ユーザーごとのブックマークページのＵＲＬ情報とが関連付けられてテーブル化されたユーザー識別情報と、前記商品コードと前記商品ＷｅｂページのＵＲＬ情報とが関連付けられてテーブル化された商品情報とが格納されており、
前記サーバーは、
前記携帯通信端末固有の機体番号と前記ユーザーごとのブックマークページのＵＲＬ情報とを関連付けてユーザー識別情報として前記データベースに登録するユーザー識別情報登録手段と、
前記携帯通信端末から送信された前記サーバーのＵＲＬ情報から前記商品コードを抽出する商品コード抽出手段と、
前記携帯通信端末から送られた前記機体番号が前記ユーザー識別情報内にあるか否かを検索する検索手段と、
前記抽出された商品コードをキーとして前記商品情報を検索して前記商品ＷｅｂページのＵＲＬ情報を抽出し、該抽出された前記商品ＷｅｂページのＵＲＬ情報を前記ユーザーのブックマークページに書き込み、記憶手段に記憶させるユーザーブックマークページ作成／更新手段と、
を備えるとともに、
前記機体番号が前記ユーザー識別情報内にある場合は、前記機体番号と関連付けられて登録されている前記ブックマークページのＵＲＬ情報を前記検索手段が抽出し、該抽出されたブックマークページのＵＲＬ情報に対応するブックマークページに前記商品ＷｅｂページのＵＲＬ情報を書き込んで更新し、
前記機体番号が前記ユーザー識別情報内に登録されていない場合は、前記ユーザー識別情報登録手段が、前記携帯通信端末に対してＰＣメールアドレスの新規登録を促す信号を送信し、前記携帯通信端末からＰＣメールアドレスが入力されて送信されると、それを受信して前記機体番号と関連付けて前記ユーザー識別情報内に登録するとともに、前記ユーザーブックマークページ作成／更新手段が、前記ユーザー専用のブックマークページを新規に作成し、前記商品ＷｅｂページのＵＲＬ情報を書き込んで前記記憶手段に記憶させるとともに、前記新規作成したブックマークページのＵＲＬ情報を前記ＰＣメールアドレスにメール送信するメール送信手段をさらに備え、
前記ブックマークページのＵＲＬ情報が前記ＰＣメールアドレスに送信されると、前記ユーザー識別情報登録手段が、前記ＰＣメールアドレスを消去して前記ブックマークページのＵＲＬ情報を前記機体番号と関連付けて登録することを特徴とするＵＲＬ情報提供システム。
【請求項２】
広告媒体に印刷された商品の識別情報が記憶された２次元コードと、該２次元コードの読み取り手段が内蔵されたユーザーの携帯通信端末と、データベースを有するサーバーとが通信ネットワークを介して相互に通信可能に接続され、
前記ユーザーが前記携帯通信端末で読み取った前記商品の識別情報に基づいて、前記商品の広告を掲載した商品ＷｅｂページのＵＲＬ情報を抽出し、前記ユーザーに提供するＵＲＬ情報提供システムであって、
前記商品の識別情報は、少なくとも前記商品を識別する商品コードを一部に含む前記サーバーのＵＲＬ情報であり、
前記データベースには、前記携帯通信端末固有の機体番号と前記ユーザーの会員ＩＤと前記ユーザーごとのブックマークページのＵＲＬ情報とが関連付けられてテーブル化されたユーザー識別情報と、前記商品コードと前記商品ＷｅｂページのＵＲＬ情報とが関連付けられてテーブル化された商品情報とが格納されており、
前記サーバーは、
前記携帯通信端末固有の機体番号と前記ユーザーの会員ＩＤと前記ユーザーごとのブックマークページのＵＲＬ情報とを関連付けてユーザー識別情報として前記データベースに登録するユーザー識別情報登録手段と、
前記携帯通信端末から送信された前記サーバーのＵＲＬ情報から前記商品コードを抽出する商品コード抽出手段と、
前記携帯通信端末から送られた前記機体番号が前記ユーザー識別情報内にあるか否かを検索する検索手段と、
前記抽出された商品コードをキーとして前記商品情報を検索して前記商品ＷｅｂページのＵＲＬ情報を抽出し、該抽出された前記商品ＷｅｂページのＵＲＬ情報を前記ユーザーのブックマークページに書き込み、記憶手段に記憶させるユーザーブックマークページ作成／更新手段と、
を備えるとともに、
前記機体番号が前記ユーザー識別情報内にある場合は、前記機体番号と関連付けられて登録されている前記ブックマークページのＵＲＬ情報を前記検索手段が抽出し、該抽出されたブックマークページのＵＲＬ情報に対応するブックマークページに前記商品ＷｅｂページのＵＲＬ情報を書き込んで更新し、
前記機体番号が前記ユーザー識別情報内に登録されていない場合は、前記ユーザー識別情報登録手段が、前記携帯通信端末に対してＰＣメールアドレスの新規登録を促す信号を送信し、前記携帯通信端末からＰＣメールアドレスが入力されて送信されると、それを受信して前記機体番号及び新たに発行した会員ＩＤと関連付けて前記ユーザー識別情報内に登録するとともに、前記ユーザーブックマークページ作成／更新手段が、前記ユーザー専用のブックマークページを新規に作成し、前記商品ＷｅｂページのＵＲＬ情報を書き込んで前記記憶手段に記憶させるとともに、前記新規作成したブックマークページのＵＲＬ情報を前記ＰＣメールアドレスにメール送信するメール送信手段をさらに備え、
前記ブックマークページのＵＲＬ情報が前記ＰＣメールアドレスに送信されると、前記ユーザー識別情報登録手段が、前記ＰＣメールアドレスを消去して前記ブックマークページのＵＲＬ情報を前記機体番号又は前記会員ＩＤと関連付けて登録することを特徴とするＵＲＬ情報提供システム。
【請求項３】
前記ユーザー専用のブックマークページのＵＲＬ情報は、前記機体番号を一部に含むことを特徴とする請求項１又は２に記載のＵＲＬ情報提供システム。
【請求項４】
前記ユーザー専用のブックマークページのＵＲＬ情報は、前記会員ＩＤを一部に含むことを特徴とする請求項２に記載のＵＲＬ情報提供システム。
【請求項５】
前記通信ネットワークに接続された前記ユーザーのパソコンから前記会員ＩＤを入力することにより、前記サーバーの前記記憶手段に格納されている前記ユーザーのブックマークページを呼び出すブックマークページ呼び出し手段が前記サーバーに備えられていることを特徴とする請求項４に記載のＵＲＬ情報提供システム。
【請求項６】
前記２次元コードの読み取り手段が内蔵された携帯通信端末は、２次元コード読み取るためのカメラと、該カメラで撮像した画像を解析して前記２次元コードに含まれる商品の識別情報を抽出するコード解析手段を有する携帯電話機である、請求項１乃至５のいずれかに記載のＵＲＬ情報提供システム。
【請求項７】
前記データベースの商品情報には、前記商品の具体的内容を簡単に説明した商品概要が前記商品コードと関連付けられて記憶されている請求項１乃至６のいずれかに記載のＵＲＬ情報提供システム。
【請求項８】
前記２次元コードがＱＲコードである請求項１乃至７のいずれかに記載のＵＲＬ情報提供システム。
【発明の詳細な説明】
【技術分野】
【０００１】
本発明は、ＵＲＬ情報提供システムに関するものであり、特に、ユーザーが広告チラシ等に印刷された２次元コードを携帯電話機で読み取り、そのコード情報をサーバーに送ると、サーバーが２次元コードに含まれる商品識別情報（商品コード）に基づいてその商品のＷｅｂページのＵＲＬ情報を検索抽出し、それをユーザー専用のブックマークページに記載（蓄積保存）し、そのブックマークページのＵＲＬをユーザーに知らせることにより、ユーザーが自分のパソコンでそのブックマークページを経由して商品のＷｅｂページの閲覧ができるようにした、ＵＲＬ情報提供システムに関するものである。
【背景技術】
【０００２】
近年、雑誌の広告掲載ページや新聞の折込チラシ（家電製品や不動産情報など）に広告主や商品紹介のＷｅｂページのＵＲＬ（Uniform  Resource  Locator）を記載して、さらに詳しい情報の入手が可能となるようにしている。
しかし、このようなＵＲＬは、例えば「_」（アンダーバー）や「〜」（チルダ）など、普段はあまり使用しないような記号を用いている場合があり、入力作業が煩雑であり、入力ミスも犯しやすい。特に、高齢者にとっては尚更である。
そこで、かかるＵＲＬの入力を不要とし、利用者が広告に掲載された商品或いはサービスに関する情報を簡単に入手することを可能とする情報提供サービスが提案されている（特許文献１参照）。
【０００３】
これを簡単に説明すると、広告媒体（例えば雑誌広告ページ）に商品等の内容を詳しく説明するＷｅｂページへの接続情報（ＷｅｂページのＵＲＬ）を示す２次元コード（例えばＱＲコード、図１１参照）を商品と共に印刷しておき、利用者がカメラ付き携帯電話機のカメラでコードを読み取ると、ＵＲＬ情報が携帯電話機に取り込まれ、利用者がその携帯電話機で前記ＵＲＬにアクセスすると、商品Ｗｅｂページに接続され、詳しい商品情報がその携帯電話機の画面に表示されるというものである。
【０００４】
しかしながら、かかるシステムには以下のような問題がある。
(1)商品の詳しい説明を表示させるのには、携帯電話機の画面では小さすぎるので、掲載される情報が制限される。例えば、アパート・マンション等の間取り情報や室内の様子等を撮影した画像情報（動画も含む）などは、（パソコン等の）大きなディスプレイで表示させるのに適している。
従って、広告に印刷された２次元コードを携帯電話機で読み取ったとしても、その読み取ったＵＲＬ情報を、パソコンのメールアドレスに転送されるようにするのが好ましい。
(2)しかしながら、携帯電話機の中にそのような転送を直接に行うソフトウェアを組み込むためには、携帯電話システムを運営する事業者ごとに適合するＯＳを用いたソフトウェアを開発する必要があり、開発コストが事業者の数だけ増えることになる。
【０００５】
上述のような事情に鑑み、本出願と同じ出願人により、ユーザーが広告チラシ等に印刷された２次元コードを携帯電話機で読み取り、そのコード情報をサーバーに送ると、サーバーが２次元コードに含まれる商品識別情報（商品コード）に基づいてその商品のＷｅｂページのＵＲＬ情報を検索抽出し、それをユーザー専用のブックマークページに記載（蓄積保存）し、そのブックマークページのＵＲＬをユーザーにメール送信することにより、ユーザーが自分のパソコンでそのブックマークページに記載されているＵＲＬをクリックすることによって商品のＷｅｂページの閲覧ができるようにした、ＵＲＬ情報提供システムが既に提案されている（特願２００６−１５９２０３参照）。
【特許文献１】特開２００２−１１１９０９号公報
【発明の開示】
【発明が解決しようとする課題】
【０００６】
しかしながら、上記システムではユーザーが携帯電話でＱＲコードを読み取ってサーバーにアクセスするたびに、ユーザーのＰＣメールアドレスに対してブックマークページのＵＲＬがメール送信される仕組みになっているため、ユーザーのＰＣメールアドレスをサーバー側に保管しておく必要がある。
一方、近年、個人情報保護の観点から、個人情報の漏洩が社会問題化している現状に鑑み、万一の場合に備え、ＰＣメールアドレス等の個人を特定する情報をサーバー側に残したくないという社会的な要請もある。
このためには、ＰＣメールアドレスをサーバー側に保管せずに、毎回ユーザーに入力させるという考え方もあり得ないわけではないが、煩雑すぎて、上記システムの利用を躊躇する者が出るおそれもある。
しかも、ユーザーのブックマークページのＵＲＬは毎回変わるものではないので、一度だけ通知してユーザーのブラウザの「お気に入り」に登録してもらえば、毎回メール送信する必要もない。
本発明は上述のような事情に鑑み為されたものであり、個人情報保護のセキュリティを高めたＵＲＬ情報提供システムを提供することを目的とするものである。
【課題を解決するための手段】
【０００７】
本発明は、広告媒体に印刷された商品の識別情報が記憶された２次元コードと、該２次元コードの読み取り手段が内蔵されたユーザーの携帯通信端末と、データベースを有するサーバーとが通信ネットワークを介して相互に通信可能に接続され、前記ユーザーが前記携帯通信端末で読み取った前記商品の識別情報に基づいて、前記商品の広告を掲載した商品ＷｅｂページのＵＲＬ情報を抽出し、前記ユーザーに提供するＵＲＬ情報提供システムに関し、本発明の上記目的は、
前記商品の識別情報は、少なくとも前記商品を識別する商品コードを一部に含む前記サーバーのＵＲＬ情報であり、前記データベースには、前記携帯通信端末固有の機体番号と前記ユーザーごとのブックマークページのＵＲＬ情報とが関連付けられてテーブル化されたユーザー識別情報と、前記商品コードと前記商品ＷｅｂページのＵＲＬ情報とが関連付けられてテーブル化された商品情報とが格納されており、前記サーバーは、前記携帯通信端末固有の機体番号と前記ユーザーごとのブックマークページのＵＲＬ情報とを関連付けてユーザー識別情報として前記データベースに登録するユーザー識別情報登録手段と、前記携帯通信端末から送信された前記サーバーのＵＲＬ情報から前記商品コードを抽出する商品コード抽出手段と、前記携帯通信端末から送られた前記機体番号が前記ユーザー識別情報内にあるか否かを検索する検索手段と、前記抽出された商品コードをキーとして前記商品情報を検索して前記商品ＷｅｂページのＵＲＬ情報を抽出し、該抽出された前記商品ＷｅｂページのＵＲＬ情報を前記ユーザーのブックマークページに書き込み、記憶手段に記憶させるユーザーブックマークページ作成／更新手段と、を備えるとともに、
前記機体番号が前記ユーザー識別情報内にある場合は、前記機体番号と関連付けられて登録されている前記ブックマークページのＵＲＬ情報を前記検索手段が抽出し、該抽出されたブックマークページのＵＲＬ情報に対応するブックマークページに前記商品ＷｅｂページのＵＲＬ情報を書き込んで更新し、前記機体番号が前記ユーザー識別情報内に登録されていない場合は、前記ユーザー識別情報登録手段が、前記携帯通信端末に対してＰＣメールアドレスの新規登録を促す信号を送信し、前記携帯通信端末からＰＣメールアドレスが入力されて送信されると、それを受信して前記機体番号と関連付けて前記ユーザー識別情報内に登録するとともに、前記ユーザーブックマークページ作成／更新手段が、前記ユーザー専用のブックマークページを新規に作成し、前記商品ＷｅｂページのＵＲＬ情報を書き込んで前記記憶手段に記憶させるとともに、前記新規作成したブックマークページのＵＲＬ情報を前記ＰＣメールアドレスにメール送信するメール送信手段をさらに備え、前記ブックマークページのＵＲＬ情報が前記ＰＣメールアドレスに送信されると、前記ユーザー識別情報登録手段が、前記ＰＣメールアドレスを消去して前記ブックマークページのＵＲＬ情報を前記機体番号と関連付けて登録することによって達成される。
【０００８】
また、本発明の上記目的は、前記２次元コードの読み取り手段が内蔵された携帯通信端末を、２次元コード読み取るためのカメラと、該カメラで撮像した画像を解析して前記２次元コードに含まれる商品の識別情報を抽出するコード解析手段を有する携帯電話機とすることによって効果的に達成される。
さらに、本発明の上記目的は、前記データベースの商品情報に、前記商品の具体的内容を簡単に説明した商品概要を前記商品コードと関連付けて記憶することによって、より効果的に達成される。
【発明の効果】
【０００９】
本発明に係るＵＲＬ情報提供システムによれば、ユーザーはカメラ付きの携帯電話機でチラシ等に印刷された２次元コードを読み取り、簡単な操作で指定されたサーバーにアクセスして商品コードを送信するだけで、当該商品コードに対応した商品ＷｅｂページのＵＲＬ情報が記載された自分専用のブックマークページが作成され、そのブックマークページのＵＲＬ情報が送られてくるので、パソコンからそのブックマークページにアクセスし、そこに記載されている商品ＷｅｂページのＵＲＬをクリックするだけで、商品の詳細な情報を自分のパソコンで閲覧することが可能となる。
さらに、これに加えて、自分のアクセスした商品ＷｅｂページのＵＲＬ情報のすべてが自分の専用ブックマークページに掲載されているので、今までの履歴を見ることが可能となる。
サーバー側から見れば、ユーザーに送信するブックマークページのＵＲＬ情報は常に同じものであるため、初回のみ通知すればよく、ＰＣメールアドレスを保管しておく必要がないので消去してもよく、消去すれば個人を特定する情報は何もなくなり、情報が漏洩しても問題はない。また、ユーザーがその後にＰＣメールアドレスを変更しても影響がない。
また、ユーザー側から見ると、自分の専用ブックマークページに今までにアクセスした商品ＵＲＬ情報がすべて記載されているため、商品ＷｅｂページＵＲＬを個別にお気に入りに登録する必要がなく、自分の専用ブックマークページＵＲＬを１回登録するだけでよいというメリットがある。
【発明を実施するための最良の形態】
【００１０】
図１は本発明に係るＵＲＬ情報提供システムの構成を示す概略図であり、広告チラシ等に印刷された２次元コード（我が国では図１２に示すＱＲコードがもっとも普及しており、これを用いるのが好ましいが、他の方式の２次元コードでも理論的には可能である。）を読み取る読み取り手段が内蔵された携帯電話機１とデータベース４を有するサーバー３とが通信ネットワーク５を介して相互に通信可能に接続されている。そして、サーバー３からユーザーのパソコン６のＰＣメールアドレスに、商品ＷｅｂページのＵＲＬ情報が記載されたユーザー専用ブックマークページのＵＲＬ情報がメール送信され（ただし初回のみ）、ユーザーがパソコン６から自分の専用ブックマークページにアクセスして、そのページに記載されている商品ＷｅｂページのＵＲＬ情報をクリックして商品Ｗｅｂページにアクセスすることができるようになっている。また、一度ブックマークページのＵＲＬ情報がメール送信されると、ユーザーのＰＣメールアドレスは消去されるようになっているので、個人を特定する情報の漏洩の心配がない。
【００１１】
なお、携帯電話機１に内蔵されている読み取り手段は、２次元コードの画像を撮像するＣＣＤカメラと、読み取った画像を解析してデータを取り出す解析ソフト（携帯電話の事業者ごとに異なるＯＳによって作成され、製造時にファームウェアとして電話機本体に組み込まれているのが一般的である。）から成る。また、携帯電話通信システムとは携帯電話事業者ごとに設置運営されるアンテナ、基地局、通信ネットワーク５への接続を行うサーバー等で構成されるものであり、既存のシステムが利用できる。
【００１２】
図２はサーバー３の構成を示すブロック図である。サーバー３は、携帯電話機１から送信されたサーバー３のＵＲＬ情報（データ形式の詳細は後述する。）から２次元コードが付された商品の商品コードを抽出する商品コード抽出手段３１と、抽出された商品コードをキーとしてデータベース４内を検索して商品ＷｅｂページのＵＲＬ情報を取り出すとともに、携帯電話機１から送られた機体番号をキーとしてデータベース４内を検索してユーザーの会員ＩＤ又はブックマークページＵＲＬを取り出す検索手段３２と、検索された商品ＷｅｂページのＵＲＬ情報をユーザー専用のブックマークページに書き込むブックマークページ作成／更新手段３３を備えている。
また、ユーザーが本システムを初めて利用した場合は機体番号そのものがデータベース４内に存在していないので、その場合に、ＰＣメールアドレスの新規登録を促す信号を携帯電話機１に送信し、携帯電話機１からＰＣメールアドレスが入力されて送信されると、それを受信して、ＰＣメールアドレスと新たに発行した会員ＩＤと機体番号とを関連付けてデータベース４内に登録するユーザー識別情報登録手段３４も備えている。
さらには、携帯電話機１から送信された機体番号、抽出された商品コード等を一時的に記憶したり、上記の作成又は更新されたユーザー専用のブックマークページを記憶しておく記憶手段３５、前記ユーザー専用のブックマークページのＵＲＬ情報をユーザーのＰＣメールアドレスに送信するためのメールを作成／送信するメール送信手段３６、外部との通信を行う通信手段３７、及び、広告主が（図示しない）端末から通信ネットワーク５を介してデータベース４に商品ＷｅｂページのＵＲＬ情報を登録するための商品ＵＲＬ登録手段３８を備えている。そして、これらの各手段３１〜３８を制御手段（ＣＰＵ、ＲＡＭ、ＲＯＭ等で構成される。）が所定のプログラムによって制御している。
なお、データベース４への商品ＷｅｂページのＵＲＬ情報の登録は、外部記録媒体（図示せず）に記憶させたものをサーバー３から読み込むことによって、データベース４に登録するようにしてもよいので、通信ネットワーク５を介して登録することは必須要件ではない。
【００１３】
サーバー３に接続されたデータベース４には、携帯電話機１固有の機体番号とユーザーの会員ＩＤ（例えば登録順に追番号にしてもよい。）及びブックマークページＵＲＬ（初回のみＰＣメールアドレス）とが関連付けられてテーブル化されたユーザー識別情報４１と、商品コードと商品ＷｅｂページのＵＲＬ情報とが関連付けられてテーブル化された商品情報データ４２とが格納されている。さらに、図示されていないが、データベース４内にはユーザーのアクセス履歴がユーザーの会員ＩＤ、又は機体番号と関連付けられて保存されている。こうすることにより、どのユーザーがどの商品広告に関心を示したかを後から知ることができる。
【００１４】
図３はユーザー識別情報（テーブル）の具体例を示すものである。なお、会員ＩＤは新規登録時に発行されて登録される。登録順に追番号にするのが好ましいが、これに限定されるものではなく、ユニークなコードであれば何でもよい。会員ＩＤを機体番号とは別に設ける理由は、機体番号では複雑すぎてユーザーが利用しにくいからである。
図４は商品情報データ（テーブル）の具体例を示すものである。商品コードと関連付けられた商品ＷｅｂページのＵＲＬ情報のほかに、商品の具体的内容を簡単に説明した商品概要も関連付けられて格納されている。商品のＵＲＬ情報だけでは（実際にアクセスしてみなければ）その商品の内容を把握することができないので、商品概要も併せて登録しておくことによって、具体的に分かるようにするためである。
【００１５】
次に、上記構成における本願発明に係るシステムの動作を説明する。
（実施例１）
ＱＲコードに、商品コード（例えば、0123456）を一部に含むサーバー３のＵＲＬ情報が記憶されている場合である。すなわち、「http://www.qr-infosystem.com/0123456.html」をＱＲコード化した場合である。
【００１６】
図５のフローチャートに基づいて処理の流れを説明する。まず、携帯電話機１のカメラでＱＲコードを読み取ると、携帯電話機１のソフトウェア（２次元コード読取機能付きのタイプには最初から内蔵されていることが多い。）が解析して、サーバー３のＵＲＬを反転表示する（ステップＳ１）。図６（Ａ）は表示の一例を示すものである。ユーザーが選択ボタンを押すと反転表示が解除され、図６（Ｂ）の状態になる。そこで「決定」を押すと図６（Ｃ）に移行し、選択ボタンを押して送信すると、サーバー３に接続される（ステップＳ２）。
そこで、サーバー３は携帯電話機１から機体番号を取得する（ステップＳ３）。携帯電話機の機体番号は、個体識別番号と呼ばれる各携帯電話機を一意に識別する番号であり、ネットワークから要求されると、携帯電話機によって自動的にその情報が送信されるようになっているものである。本発明に係るシステムでは、事前にユーザーの承認をとるようにしている。具体的には、サーバー３から携帯電話機１に対して図７のような確認画面が送られる。ユーザーが機体番号の取り込みを承認すると、サーバーは携帯電話機１から機体番号を取得する。機体番号（例えば、JNED0631594）を受け取ったサーバー３は、データベース４の中にその機体番号が登録されているかどうかを検索する（ステップＳ４）。初回の場合は当然ながら機体番号の登録はないので、ＰＣメールアドレスの登録を要求する（ステップＳ５）。具体的には、サーバー３から携帯電話機１に対して図８のような画面が送られる。ユーザーがＰＣメールアドレスを入力して送信すると（ステップＳ６）、送信されたＰＣメールアドレス（例えば、bogey@hatmail.com）を会員ＩＤ及び機体番号に関連付けて、データベース４のユーザー識別情報４１に書き込んで登録する（ステップＳ７、図３（Ａ）参照）。なお、新規登録の場合は会員ＩＤが存在しないので、ＰＣメールアドレスをデータベース４に登録する際に自動発行（例えば追番で付与）するようになっている。
【００１７】
次に、ブックマークページ作成／更新手段３３がユーザーに固有の情報（例えば、機体番号、例：JNED0631594）を用いて、「JNED0631594.html」という名前のブックマークページファイルを自動生成し、記憶手段３５の中にある「user」というフォルダの中に格納する（ステップＳ８）。そうすると、このブックマークページは、
http://www.qr-infosysytem.com/user/JNED0631594.html・・・（１）
というＵＲＬ情報を持つことになる。なお、機体番号の代わりに、会員ＩＤ(0000002)を利用した「0000002.html」というファイル名にしてもよい。
そうすると、このブックマークページは、
http://www.qr-infosysytem.com/user/0000002.html・・・（１’）
というＵＲＬ情報を持つことになる。
【００１８】
次に、携帯電話機１から送信されたサーバー３のＵＲＬ情報から商品コードを抽出する（ステップＳ９）。具体的には、「http://www.qr-infosystem.com/0123456.html」の中のスラッシュ（/）より右側の部分（htmlを除く）を切り出して、商品コード（0123456）を抽出する。次に、抽出された商品コードに対応した商品ＷｅｂページのＵＲＬ情報をデータベース４の商品情報データ４２から検索・抽出する（ステップＳ１０）。
図４の例では「http://www.realestate.com/akasaka2.html」が抽出される。これを、ブックマークページ作成／更新手段３３が記憶手段３５の中にある上記ブックマークページに書き込み（２回目からは更新）、記憶する（ステップＳ１１）。
【００１９】
次に、検索手段３２はデータベース４内のユーザー識別情報４１を検索して、当該機体番号に関連付けられたＰＣメールアドレスが存在するかどうかを調べる（ステップＳ１２）。
初回の場合は上記ステップＳ７においてＰＣメールアドレスが登録されているので、「Yes」となり、メール送信手段３６がユーザーのＰＣメールアドレスに対して、上記ブックマークページのＵＲＬ情報（１）又は（１’）を知らせるための送信メールを自動作成し、送信する（ステップＳ１３）。図９は送信メールの画面の一例を示すものである。
このメールを受信したユーザーが、送られたメールの本文に記載されているブックマークページのＵＲＬをクリックすると、自分専用のブックマークページ（図１０参照）がパソコンの画面に表示され、この中の商品ＷｅｂページのＵＲＬ（５０）をクリックすることによって、その商品Ｗｅｂページを閲覧することができる。
【００２０】
次に、ユーザー識別情報登録手段３４は、そのユーザーのＰＣメールアドレスを消去し、ブックマークページのＵＲＬ情報を機体番号と関連付けて登録する（ステップＳ１４）。書き込むエリアは、ＰＣメールアドレスが登録されていた場所と同じ場所でもよいが（この場合は上書きとなる。）、別のエリアを独立して設けてもよい。同じ場所に書き込む場合は、検索の際に、ＰＣメールアドレス情報とブックマークページのＵＲＬ情報の区別が可能であることが必要となるが、メールアドレスには必ず＠マークが含まれているので、このマークの有無で判断するようにすればよい。
【００２１】
以上は、ユーザーが初めて本発明に係るシステムを利用した場合の処理の流れであるが、２回目以降の場合は、上記ステップＳ４での検索の結果、機体番号は登録されているので、ステップＳ９に移行してステップＳ１１までの処理を行った後、終了する。初回時にステップＳ１４でＰＣメールアドレスは消去されている（あるいは、ブックマークページのＵＲＬ情報に変わっている）ので、ステップＳ１２は必ず「No」となるからである。
【００２２】
なお、本発明においては、ユーザーのＰＣメールアドレスに送信されるメールは初回のみであるので、ユーザーが受信したブックマークページのＵＲＬをブラウザの「お気に入り」に登録するように促す必要がある。そこで、メール本文中にその旨を明記するとともに（図９参照）、ブックマークページ中にカンタン登録のためのボタンを設けるようにしてもよい（図１０参照）。
また、お気に入りへの登録を忘れたユーザーのために、本システムのサービスを提供する業者のホームページから、会員ＩＤを入力することによって、会員ＩＤに関連付けられたＵＲＬ（例えば、上記１’のＵＲＬ）を持つブックマークページにアクセスできるようにブックマークページ呼び出し手段（図示せず）を設けてもよい。
【００２３】
さらには、データベース４に格納されているユーザーのアクセス履歴から、そのユーザーが特に興味を示した商品を知ることができるので、その商品に関連する業者のバナー広告（例えば、図１０の６０参照）をブックマークページに自動的に掲載することによって、広告効果を高めることも可能となる。
【００２４】
なお、本実施例において説明のために使用した携帯電話の表示画面（図６〜８）は、あくまでも例を示したものに過ぎず、これに限定されるものではない。また、本実施の形態においては、携帯通信端末が携帯電話機である場合を例として説明したが、固有の機体番号を有する機種であれば、いわゆる携帯電話機であることには限定されない。
【図面の簡単な説明】
【００２５】
【図１】本発明に係るＵＲＬ情報提供システムの構成を示す概略図である。
【図２】サーバーの構成を示すブロック図である。
【図３】ユーザー識別情報の例を示す図である。
【図４】商品情報の例を示す図である。
【図５】実施例１のフローチャートである。
【図６】実施例１におけるＱＲコード読み取り画面の一例を示すものである。
【図７】機体番号取得確認画面の一例を示すものである。
【図８】ＰＣメールアドレス入力画面の一例を示すものである。
【図９】送信メールの表示画面の一例を示すものである。
【図１０】ブックマークページの表示画面の一例を示すものである。
【図１１】ＱＲコードの外観を示すものである。
【符号の説明】
【００２６】
１  携帯電話機
３  サーバー
４  データベース
５  通信ネットワーク
６  パソコン
３１  商品コード抽出手段
３２  検索手段
３３  ユーザーブックマークページ作成／更新手段
３４  ユーザー識別情報登録手段
３５  記憶手段
３６  メール送信手段
３７  通信手段
４１  ユーザー識別情報データ
４２  商品情報データ
【図１】
2008140253.tif 000003
【図２】
2008140253.tif 000004
【図３】
2008140253.tif 000005
【図４】
2008140253.tif 000006
【図５】
2008140253.tif 000007
【図６】
2008140253.tif 000008
【図７】
2008140253.tif 000009
【図８】
2008140253.tif 000010
【図９】
2008140253.tif 000011
【図１０】
2008140253.tif 000012
【図１１】
2008140253.tif 000013